(57)【特許請求の範囲】
【請求項１】
送信機及び受信機の間で、複数の情報信号系列を複数のキャリアによりそれぞれ伝送する伝送システムにおいて、
前記キャリアのマルチパスの最小遅延時間間隔を算出するとともに、前記最小遅延時間間隔よりも小さい拡散符号のチップ周期を決定し、前記チップ周期に基づいて、前記キャリア当たりの無線帯域幅を算出する伝搬経路推定部と、
前記伝搬経路推定部によって算出された前記無線帯域幅に基づいて、前記キャリア数を決定するキャリア数決定部と
を有することを特徴とする伝送システム。
【請求項２】
前記キャリア数決定部は、前記キャリアのマルチパス干渉が小さい場合に前記キャリア数を減少させ、前記マルチパス干渉が大きい場合に前記キャリア数を増加させることを特徴とする請求項１に記載の伝送システム。
【請求項３】
直列の情報信号系列を前記複数の情報信号系列に変換する直並列変換部と、
前記複数の情報信号系列を拡散処理する拡散部と
をさらに有することを特徴する請求項１に記載の伝送システム。
【請求項４】
前記拡散符号により拡散された情報信号を受信する受信部と、
受信した前記情報信号について、前記拡散符号の位相を時間的に変化させつつ逆拡散処理を行い、遅延プロファイルを生成する遅延プロファイル生成部と、
前記遅延プロファイルに基づいて、通信を確立するのに有効な信号を選択する有効信号選択部と
をさらに有し、
前記伝搬経路推定部は、前記有効信号選択部が選択した信号に基づいて、前記最小遅延時間間隔を算出することを特徴とする請求項１に記載の伝送システム。
【請求項５】
前記送信機及び前記受信機において振幅や位相が既知のパイロット信号を取得するパイロット信号取得部をさらに有し、
前記遅延プロファイル生成部は、前記パイロット信号について前記遅延プロファイルを生成することを特徴とする請求項４に記載の伝送システム。
【請求項６】
前記伝搬経路推定部は、前記無線帯域幅を周期的に算出することを特徴とする請求項１に記載の伝送システム。
【請求項７】
送信機及び受信機の間で、複数の情報信号系列を複数のキャリアによりそれぞれ伝送する伝送方法において、
前記キャリアのマルチパスの最小遅延時間間隔を算出するとともに、前記最小遅延時間間隔よりも小さい拡散符号のチップ周期を決定し、前記チップ周期に基づいて、前記キャリア当たりの無線帯域幅を算出するステップと、
前記算出するステップにおいて算出された前記無線帯域幅に基づいて、キャリア数を決定するステップと
を有することを特徴とする伝送方法。
【請求項８】
前記決定するステップでは、前記キャリアのマルチパス干渉が小さい場合に前記キャリア数を減少させ、前記マルチパス干渉が大きい場合に前記キャリア数を増加させることを特徴とする請求項７に記載の伝送方法。
【請求項９】
直列の情報信号系列を複数の前記情報信号系列に変換するステップと、
前記複数の情報信号系列を拡散処理するステップと
をさらに有することを特徴する請求項７に記載の伝送方法。
【請求項１０】
前記拡散符号により拡散された情報信号を受信するステップと、
受信した前記情報信号について、前記拡散符号の位相を時間的に変化させつつ逆拡散処理を行い、遅延プロファイルを生成するステップと、
前記遅延プロファイルに基づいて、通信を確立するのに有効な信号を選択するステップと
をさらに有し、
前記決定するステップでは、前記選択するステップで選択された信号に基づいて、前記最小遅延時間間隔を算出することを特徴とする請求項７に記載の伝送方法。
【請求項１１】
前記受信するステップでは、前記送信機及び前記受信機において振幅や位相が既知のパイロット信号を取得し、
前記生成するステップでは、前記パイロット信号について前記遅延プロファイルを生成することを特徴とする請求項１０に記載の伝送方法。
【請求項１２】
前記算出するステップ及び前記決定するステップは、周期的に行われることを特徴とする請求項７に記載の伝送方法。
【請求項１３】
送信機及び受信機の間で、複数の情報信号系列を複数のキャリアによりそれぞれ伝送する伝送装置において、
前記キャリアのマルチパスの最小遅延時間間隔を算出するとともに、前記最小遅延時間間隔よりも小さい拡散符号のチップ周期を決定し、前記チップ周期に基づいて、前記キャリア当たりの無線帯域幅を算出する伝搬経路推定部と、
前記伝搬経路推定部によって算出された前記無線帯域幅に基づいて、前記キャリア数を決定するキャリア数決定部と
を有することを特徴とする伝送装置。
【請求項１４】
送信機及び受信機の間で、複数の情報信号系列を複数のキャリアによりそれぞれ伝送する伝送プログラムを記録した電子記録媒体において、演算処理装置に、
前記キャリアのマルチパスの最小遅延時間間隔を算出するとともに、前記最小遅延時間間隔よりも小さい拡散符号のチップ周期を決定し、前記チップ周期に基づいて、前記キャリア当たりの無線帯域幅を算出するステップと、
算出された前記無線帯域幅に基づいて、キャリア数を決定するステップと
を有する処理を実行させることを特徴とする伝送プログラムを記録した電子記録媒体。
【発明の詳細な説明】
【０００１】
【発明の属する技術分野】
本発明は、例えば、マルチキャリア／DS-CDMA方式など、送信機及び受信機の間で、複数の情報信号系列を複数のキャリアによりそれぞれ伝送する伝送システム、方法、装置及びプログラムを記録した電子記録媒体に関する。
【０００２】
【従来の技術】
現在、次世代移動通信システム(IMT-2000)の無線アクセス方式として、広帯域符号分割多元接続（W-CDMA：Wideband  Code Divesion Multiple Access）方式及びcdma2000方式が採用されている。W-CDMAではキャリア当たりの無線帯域幅は、５MHzであり、cdma2000では、1.25MHzである。
【０００３】
ここで、移動通信環境では送信された信号が送信機・受信機間の建物や地物などの影響により、異なる伝搬遅延時間を持つ複数の信号（マルチパス信号）となって受信機に到達するという、いわゆるマルチパス伝搬の影響を受ける。
【０００４】
このようなマルチパス信号に対して、W-CDMAやcdma2000のベースとなっている直接拡散符号分割多元接続（DS-CDMA：Direct Sequence code Division Multiple Access）方式は、マルチパスを独立名信号として分離し、それらを同位相で合成すること（Rake受信）により、希望信号電力を増大させて、Rake時間ダイバーシチ効果による高受信品質化を図ることができる。
【０００５】
特にW-CDMAは、無線帯域幅が５MHzであるため、1.25MHzのcdma2000と比較して、分離可能なマルチパスの最小時間間隔が約１／４倍となり、受信信号をより多くのパスに分離して有効にRake受信を行うことができる。このように無線帯域幅を拡大し、Rake時間ダイバーシチ効果による信号伝送の高品質化を実験的に検討した結果は、「Further Rsults on Field Experiments of Coherent Wideband DS-CDMA mobile Radio(T.Dohi, Y.Okumura, and F.Adachi:IEICE Trans. Commun.,Vol. E81-B,No.6,pp. 1239-1247, June, 1998)」において報告されている。
【０００６】
この文献では、1.25MHzから10MHzまでの無線帯域幅を用いたDS-CDMA方式の屋外伝送実験結果が示されており、無線帯域幅を10MHzまで拡大することで、より多くのマルチパスに分離してRake受信し、Rake時間ダイバーシチ効果により受信特性を向上させることができると報告されている。
【０００７】
また、「Performance of Rake Reception in Dense Multipath Channels: Implications of Spreading Bandwidth and Selection Diversity Order(M. Z. Win, G.Chrisikos, and N.R.Sollenberger: IEEE JSAC.c vol.18,No. 8, pp,1516-1525, Aug., 2000)」では、解析的に、帯域幅を拡大することによりパス数が増加し、DS-CDMA方式の受信特性が向上することが報告されている。さらに、この文献では、Rake時間ダイバーシチ効果による信号伝送品質の改善度はマルチパス数が多くなるにつれて小さくなり、Rake時間ダイバーシチ効果が飽和することが示されている。この文献では、分解されたマルチパス信号の各パスタイミングは既知と仮定しているため、パスの検出精度に関する議論は行われていない。
【０００８】
しかし、実際の環境では、無線帯域幅を拡大することで、多くのパスが観測される場合には、受信部において各パスの信号が互いに干渉を及ぼしあうマルチパス干渉とともに、パス当たりの信号電力が減少することにより受信部における各パスのタイミング検出精度の劣化、及び検出されたパスの信号が送信機・受信機間で受けた伝搬路による変動量を推定するチャネル推定精度の劣化が、受信特性に影響を与える。
【０００９】
このような点を考慮し、「Experimental Evaluation of Coherent Rake Receiver for Brodband DS-CDMA Mobile Radio(T.Ikeda, K.Okawa, M.Sawahashi, and F. Adachi: IEEE VTC Spring, pp.1849-1853, 2000)」では、100MHzの無線帯域幅を用いたDS-CDMA伝送において、室内伝送実験により、パスタイミングの検出精度、チャネル推定精度を考慮したRake受信の特性評価がなされている。実験結果より、マルチパス数が非常に多い環境下では上記のマルチパス干渉、パスの検出精度及びチャネル変動の推定精度の劣化により、Rake時間ダイバーシチ効果による受信特性改善の飽和及び劣化の傾向が示されている。
【００１０】
従って、DS-CDMA伝送では、帯域幅の拡大に伴う分解可能なパス数の増加に対して、Rake時間ダイバーシチ効果による特性改善と、マルチパス干渉の増加及びパス当たりの電力減少に伴う受信処理での特性劣化との関係から、適切な無線帯域幅が存在すると考えられる。
【００１１】
【発明が解決しようとする課題】
従来の移動通信システムに関する検討では、最大でも数MHz程度の帯域幅を用いた場合の検討が大部分を占めていた。
【００１２】
しかしながら、移動通信システムでも、数10Mbps以上の高速な情報伝送速度の実現に対する期待が高まっていることから、移動通信システムに割り当てられる帯域幅が拡大し、数10MHz或いは100MHz以上の帯域幅が割り当てられる可能性が高い。その場合の無線アクセス方式としてマルチキャリア／DS-CDMAを用いる場合には、上記の伝搬経路の影響、より具体的にはマルチパス干渉の影響から、キャリア当たりの無線帯域幅、すなわちキャリア数の値により特性が大きく変化するという問題がある。
【００１３】
そこで、本発明は、上記問題点を鑑みてなされたものであり、送信機及び受信機の間で、複数の情報信号系列を複数のキャリアによりそれぞれ伝送する際におけるマルチパス干渉等による影響を低減して、高品質な信号伝送を実現することのできる伝送システム、方法、装置及びプログラムを記録した電子記録媒体を提供することを目的とする。
【００１４】
【課題を解決するための手段】
上記課題を解決するために本発明は、送信機及び受信機の間で、複数の情報信号系列を複数のキャリアによりそれぞれ伝送する際に、送信機及び受信機間の伝搬経路を推定し、この推定結果に基づいて、キャリア数を決定することを特徴とする。
【００１５】
なお、本発明において、前記伝搬経路の推定は、マルチパスの遅延時間間隔やマルチパス数に基づいて行うことができる。また、本発明において前記キャリア数の決定は、マルチパス干渉が小さい場合に前記キャリア数を減少させ、マルチパス干渉が大きい場合にキャリア数を増加させることが好ましい。
【００１６】
本発明によれば、伝送経路を推定し、その推定結果に基づいて無線帯域幅に対して適切なキャリア数を設定することによりダイバーシチ効果を有効に得ることができ、信号伝送の高品質化を図ることができる。
【００１７】
本発明において、前記複数の情報信号系列は、直列の情報信号系列を複数の情報信号系列に変換し、これら複数の情報信号系列を拡散処理したものとすることができる。この場合には、DS-CDMA信号方式においても、本発明を有効に適用することができる。
【００１８】
本発明において、前記キャリア数の決定は、拡散符号により拡散された情報信号を受信し、受信した情報信号について、拡散符号を時間的に変化させつつ逆拡散処理を行い、この処理結果として遅延プロファイルを生成し、遅延プロファイルに基づいて、通信を確立するのに有効な信号を選択し、この選択した信号を含む伝搬経路パラメータを推定することが好ましい。
【００１９】
この場合には、受信信号に対して、マルチパスによる時間遅延を擬似的に加味して拡散処理を行い、これにより通信を確立するのに有効な信号を選択し、その有効信号に基づいてキャリア数を容易に且つ精度良く決定することができる。
【００２０】
上記遅延プロファイルは、送信機及び受信機において振幅や位相が既知のパイロット信号に基づいて生成することができ、この場合には、予め送受信機間で取り決めたパイロット信号に基づいて遅延プロファイルを生成することができるため、伝搬経路の推定を精度良く行うことができる。
【００２１】
本発明において、前記伝搬経路の推定は、周期的に行うことが好ましく、この場合には、刻々と変化する伝搬状況を逐次反映させて伝搬経路の推定を行うことができ、通信環境の変化に迅速に対応することができる。
【００２２】
【発明の実施の形態】
［第１実施形態］
（伝送方法の概要）
以下、本発明の伝送方法の実施形態について説明する。図１は、本実施形態係る伝送方法の概要を示す概念図である。同図には、ｎ個の並列キャリアにより送信されるDS-CDMA信号のキャリア数を変更する場合の周波数スペクトラムが示されている。
【００２３】
本実施形態に係る伝送方法は、例えば、マルチキャリア／DS-CDMA方式など、送信機及び受信機の間で、複数の情報信号系列を複数のキャリアによりそれぞれ伝送する際に、送信機及び受信機間の伝搬経路を推定し、この推定結果に基づいて、前記キャリア数を決定する。ここでのキャリア数の決定は、マルチパス干渉が小さい場合（Rake時間ダイバーシチ効果が小さい環境）にキャリア数を減少させ、マルチパス干渉が大きい場合（Rake時間ダイバーシチ効果が大きい環境）にキャリア数を増加させる。
【００２４】
具体的には、図１に示すように、送信機及び受信機間で送受信される周波数軸上に与えられた無線帯域幅において、直列の無線信号系列をｎ個（ｎは自然数で、１≦ｎ≦Ｎの範囲）の複数系列に直並列変換し、各系列を与えられた無線帯域幅の１／ｎの無線帯域幅に拡散して、各系列を対応するキャリアで信号伝送する。
【００２５】
DS-CDMA方式においては、キャリア数ｎが小さくなるほど、キャリア当たりの無線帯域幅が増加するため、マルチパス伝送路を経て受信された信号は、より多くのマルチパスに分離することが可能であり、それらを同相合成することで高品質受信が実現できる。
【００２６】
したがって、本実施形態では、マルチパス干渉が小さく、パス当たりの信号電力の減少に伴う各パスの検出精度及びチャネル推定精度が十分確保され、Rake時間ダイバーシチ効果が期待できる環境では、ｎの値を小さくしたマルチキャリア／DS-CDMAの構成を用いる。
【００２７】
一方、分解されるマルチパス数が非常に多く、マルチパス干渉、パスの検出精度、及びチャネル推定精度の劣化が顕著な環境では、ｎの値を大きくして、キャリア当たりの無線帯域幅を小さくしたマルチキャリア／DS-CDMAの構成を用いればよい。
【００２８】
（伝送方法を用いた伝送システム）
以上説明した本実施形態に係る伝送法を実現するための伝送システムについて、以下に説明する。図２は、本実施形態に係る送信機１０の構成を示すブロック図である。
【００２９】
図２に示すように、送信機１０は、受信機との間で、複数の情報信号系列を複数のキャリアによりそれぞれ伝送するものであり、本実施形態では、送受信部２と、キャリア数決定部３と、伝搬経路推定部４と、直並列変換部５と、拡散部６と、情報シンボル出力部１１とを有している。
【００３０】
送受信部２は、受信側の通信機と無線通信回線を介して通信を確立する回路であり、キャリア数決定部３が決定したキャリア数により情報シンボル（情報データ）を送信する。また、この送受信部２で受信された受信信号のうち伝搬経路の推定に必要な情報は、伝搬経路推定部４に入力される。
【００３１】
直並列変換部５は、直列の情報信号系列を複数の情報信号系列に変換する回路であり、本実施形態では、情報シンボル出力部１１から出力された直列の情報信号系列を、キャリア数決定部３の決定に基づくキャリア数分の情報系列に変換し、変換した各情報信号系列を拡散部６に出力する。
【００３２】
拡散部６は、複数の情報信号系列を拡散処理する回路である。具体的には、直並列変換部５で複数系列に変換された情報信号に、所定の拡散係数を乗じて、１／ｎの無線帯域幅に拡散し、拡散した情報信号を送受信部２に出力する。
【００３３】
伝搬経路推定部４は、送信機及び前記受信機間の伝搬経路（マルチパス経路）を推定する回路である。この推定の方式としては、受信側におけるマルチパスの遅延時間間隔やマルチパス数に基づくものが考えられる。本実施形態では、送受信部２からの情報に基づいて、遅延時間やマルチパス数を検出し、マルチパス経路を推定する。なお、送受信部２からの情報としては、受信機側から送られた遅延プロファイルであってもよい。この遅延プロファイルについては、後述する。
【００３４】
キャリア数決定部３は、伝搬経路推定部４による推定結果に基づいて、キャリア数を決定する回路である。このキャリア数決定部３は、マルチパス干渉が小さい場合にキャリア数を減少させ、マルチパス干渉が大きい場合にキャリア数を増加させる。本実施形態では、このキャリア数決定部３の決定は、送受信部２及び直並列変換部５に入力され、送受信部２では、このキャリア数決定部３の決定に基づいて、所定のキャリア数（情報信号系列数）で送受信を行う。
【００３５】
（効果）
以上説明したように、本実施形態に係る伝送システムによれば、伝搬路推定結果に基づいて、与えられた無線帯域幅を適切なキャリア数に分割し、高品質なマルチキャリア／DS-CDMA伝送を実現することができる。
【００３６】
［第２実施形態］
（構成）
次いで、本発明の第２実施形態について説明する。この第２実施形態では、拡散符号により拡散された情報信号を受信し、受信した情報信号について、前記拡散符号を時間的に変化させつつ逆拡散処理を行い、この処理結果として遅延プロファイルを生成し、遅延プロファイルに基づいて、通信を確立するのに有効な信号を選択し、この選択した信号に基づいてキャリア数を決定することを特徴とする。
【００３７】
図３は、第２実施形態に係る伝送システムにおける受信機２０の構成を示すブロック図を示す。同図に示すように、受信機２０は、送受信部２、キャリア数決定部３、伝搬経路推定部４、有効信号選択部８、遅延プロファイル生成部７、キャリア数通知処理部３２、情報シンボル伝送処理部３３とを有している。
【００３８】
送受信部２は、送信側の通信機と無線通信回線を介して通信を確立する回路であり、拡散部６が拡散した情報シンボル（情報データ）を、キャリア数決定部３が決定したキャリア数により送受信する。また、この送受信部２で受信された受信信号は、遅延プロファイル生成部７に入力される。
【００３９】
遅延プロファイル生成部７は、レプリカ信号生成部７１と、時間シフト部７２と、逆拡散部７３と、パイロット信号取得部７４を有している。
【００４０】
レプリカ信号生成部７１は、送受信部２が受信した受信信号から拡散係数を複製してレプリカ信号を生成する回路である。
【００４１】
時間シフト部７２は、パイロット信号取得部７４から入力されたパイロット信号の位相を時間的にシフトさせ逆拡散部７３に出力するものである。このパイロット信号とは、受信機と送信機との間で予め定められた試験信号であり、受信機と送信機との間で既知の振幅や位相の信号である。パイロット信号取得部７４は、送受信部２が受信した信号からパイロット信号を抽出し、時間シフト部７２に出力する。
【００４２】
逆拡散部７３は、拡散係数であるレプリカ信号を、時間シフトされた受信信号に乗じて逆拡散処理を行うものであり、処理結果として得られた信号をリスト化し遅延プロファイルを形成し、有効信号選択部８に出力する。具体的に、この遅延プロファイルとは、伝搬経路で観測されるパスの電力、遅延時間等を表すものであり、DS-CDMA信号であれば、受信した信号に対して送信部で用いた拡散符号のレプリカ信号を時間的にシフトさせながら逆拡散することにより求めることができる。
【００４３】
有効信号選択部８は、遅延プロファイルに基づいて、通信を確立するのに有効な信号を選択し、有効信号として伝搬経路推定部４に出力するものである。本実施形態では、得られた遅延プロファイルのデータリスト中から、所定のしきい値を超えるピークを有効信号パスとして選択し、その選択結果を伝搬経路推定部４に出力する。
【００４４】
伝搬経路推定部４は、本実施形態では、有効信号選択部８が選択した有効信号のパス数（マルチパス数）及びパスの遅延時間間隔を推定する。この推定結果は、キャリア数決定部３に対して出力される。
【００４５】
キャリア数決定部３は、伝搬経路推定部４による推定結果に基づいて、キャリア数を決定する回路である。このキャリア数決定部３は、マルチパス干渉が小さい場合にキャリア数を減少させ、マルチパス干渉が大きい場合にキャリア数を増加させる。本実施形態では、このキャリア数決定部３の決定は、直並列変換部５に入力され、直並列変換部５では、このキャリア決定部３の決定に基づいて、所定のキャリア数（情報信号系列数）に変換する。このキャリア決定部３で決定されたキャリア数は、キャリア数通知処理部３２、送受信部２及び情報シンボル伝送処理部３３に対して出力される。
【００４６】
キャリア数通知処理部３２は、キャリア数決定部３が決定したキャリア数を送受信部２を介して、送信側に通知する回路である。情報シンボル伝送処理部３３は、実データである情報シンボルを送受信部２を通じて送信側に送信する回路である。
【００４７】
（動作）
以上の構成を有する第２実施形態に係る受信機２０は、以下の手順により動作する。図４は、受信機２０の動作を示すフロー図である。なお、本実施形態では、伝搬路の推定結果に基づいてキャリア当たりの無線帯域幅を可変にすることを実現する際に、伝搬路推定結果として、マルチパスの最小遅延時間間隔やパス数を用いてキャリア数を決定する。
【００４８】
先ず、伝搬経路を推定するために、例えば振幅及び位相が既知のパイロット信号から、遅延プロファイルを生成する（Ｓ１０１）。具体的には、レプリカ信号生成部７１において拡散符号のレプリカ信号を生成し、時間シフト部７２に入力する。時間シフト部７２では、パイロット信号取得部７４からパイロット信号を受け取り、レプリカ信号を時間的にシフトさせ、逆拡散部７３において逆拡散処理を行い、処理結果をデータリストとして出力する。
【００４９】
次いで、生成された遅延プロファイルから、有効な信号パスを選択する（Ｓ１０２）。この有効信号に基づいて、マルチパスの最小遅延時間、及びマルチパス数を求める（Ｓ１０３）。その後、得られたマルチパス数を実現するために必要な最小の無線帯域幅を算出する（Ｓ１０４）。
【００５０】
次いで、マルチパスの最小遅延時間間隔τや、マルチパス数Ｌから、キャリア数を決定する（Ｓ１０５）。例えば、DS-CDMAの無線帯域幅は、拡散符号のチップ周期Ｔｃ及び帯域制限を行うロールオフフィルタの係数α（ロールオフファクタ）を用いて、（１＋α）／Ｔｃで表すことができ、マルチパスの分解可能な最小時間間隔はＴｃである。これより、遅延プロファイルから検出した有効信号パスの最小遅延時間間隔τを用いて、Ｔｃ＜τを満たすＴｃを求め、キャリア当たりの無線帯域幅（１＋α）／Ｔｃを求めて、キャリア数を決定する。
【００５１】
次に、得られた伝搬路の推定結果より、最適なキャリア当たりの無線帯域幅及びキャリア数を求め（Ｓ２０２）、受信機側から送信機側へ通知し、予めそのキャリア数情報を共有する（Ｓ２０３）。
【００５２】
続いて設定したキャリア数を用いたマルチキャリア／DS-CDMAにより、伝送すべき情報シンボルの信号伝送を実際に行う（Ｓ２０４）。
【００５３】
（効果）
本実施形態によれば、受信信号に対して、マルチパスによる時間遅延を擬似的に加味して拡散処理を行い、これにより通信を確立するのに有効な信号を選択し、その有効信号に基づいてキャリア数を容易に且つ精度良く決定することができる。
【００５４】
また、遅延プロファイルは、送信機及び受信機において振幅や位相が既知のパイロット信号に基づいて生成するため、予め送受信機間で取り決めたパイロット信号に基づいて遅延プロファイルを生成することができ、伝搬経路の推定を精度良く行うことができる。
【００５５】
［第３実施形態］
（構成）
次いで、本発明の第３実施形態について説明する。この第３実施形態では、上記第２実施形態における伝搬経路の推定を、周期的に行うことを特徴とする。図３は、第３実施形態に係る受信機３０を示すブロック図である。
【００５６】
本実施形態に係る受信機３０は、上述した第２実施形態に係る受信機２０に計時部３４を付加している。この計時部３４は、一定の周期で遅延プロファイル生成部３１に制御信号を出力し、一定の時間間隔により遅延プロファイルを生成させる。生成された遅延プロファイルは、有効信号選択部８に入力される。これにより、周期的に伝搬経路の推定が行われる。
【００５７】
（動作）
以上の構成を有する第３実施形態に係る受信機３０は、以下の手順により動作する。図６は、受信機３０の動作を示すフロー図である。
【００５８】
先ず、この推定には、与えられた周波数帯域幅全体に拡散された振幅・位相が既知のパイロットシンボルを用いて、遅延プロファイルを生成し（Ｓ２０１）、送信機・受信機間の伝送経路の推定を行う（Ｓ２０２）。
【００５９】
次に、得られた伝搬路の推定結果より、最適なキャリア当たりの無線帯域幅及びキャリア数を求め（Ｓ２０３）、受信機側から送信機側へ通知し、予めそのキャリア数情報を共有する（Ｓ２０４）。続いて設定したキャリア数を用いたマルチキャリア／DS-CDMAにより、伝送すべき情報シンボルの信号伝送を実際に行う（Ｓ２０５）。
【００６０】
そして、本実施形態では、ステップＳ２０６において、所定時間が経過したか否かを判断し、所定時間が経過している場合には、Ｓ２０１〜Ｓ２０４の処理を周期的に行い、伝搬路の状況に応じて適応的にキャリア数を変更する。ステップＳ２０６で所定時間が経過していないと判断した場合には、ループ処理により所定時間が経過するのを待つ。具体的に、この所定時間は、計時部３４において計測する。
【００６１】
（効果）
本発明によれば、周期的に伝送経路の推定を行いキャリア数を適宜変更できるため、送信機・受信機間で、伝送経路の環境に適したキャリア数を用いたマルチキャリア／DS-CDMA伝送が実現できる。
【００６２】
【発明の効果】
以上説明したように本発明によれば、送信機及び受信機の間で、複数の情報信号系列を複数のキャリアによりそれぞれ伝送する際におけるマルチパス干渉等による影響を低減して、高品質な信号伝送を実現することができる。
【図面の簡単な説明】
【図１】本発明の実施形態１に係る伝送方法の概要を示す説明図である。
【図２】本実施形態１に係る伝送システムにおける送信機の内部構成を示すブロック図である。
【図３】本実施形態２に係る伝送システムにおける受信機の内部構成を示すブロック図である。
【図４】本実施形態２に係る伝送システムにおける受信機の動作を示すフロー図である。内部構成を示すブロック図である。
【図５】本実施形態３に係る伝送システムにおける受信機の内部構成を示すブロック図である。
【図６】本実施形態３に係る伝送システムにおける受信機の動作を示すフロー図である。内部構成を示すブロック図である。
【符号の説明】
２…送受信部、３…キャリア数決定部、４…伝搬経路推定部、５…直並列変換部、６…拡散部、７…遅延プロファイル生成部、８…有効信号選択部、１０…送信機、１１…情報シンボル出力部、２０…受信機、３２…キャリア数通知処理部、３３…情報シンボル処理部、３４…計時部、７１…レプリカ信号生成部、７２…時間シフト部、７３…逆拡散部、７４…パイロット信号取得部
【図１】
0003934402.tif 000002
【図２】
0003934402.tif 000003
【図３】
0003934402.tif 000004
【図４】
0003934402.tif 000005
【図５】
0003934402.tif 000006
【図６】
0003934402.tif 000007